(57)【要約】【課題】撮像装置を失った場合に記憶された画像を取り戻し、当該画像が閲覧されることを抑制するための技術を提供する。【解決手段】ＬＯＳＴ登録依頼受信部１０２は、監視対象となる撮像装置２０の識別情報をユーザ端末装置３０から受けつける。機器情報受信部１０６は、撮像装置２０から、識別情報を受けつける。機器情報判断部１０８は、機器情報受信部１０６において受けつけた識別情報が、ＬＯＳＴ登録依頼受信部１０２において受けつけた識別情報に一致した場合に、撮像装置２０に対して、記憶している画像を送信させた後に、記憶している画像を削除させる。撮影データ受信部１１２は、撮像装置２０から、画像を受けつける。撮影データ記憶部１１４は、受けつけた画像を記憶する。【選択図】図２
2010178230.tif 000002
【特許請求の範囲】
【請求項１】
通信機能が搭載された撮像装置であって、かつ監視対象となる撮像装置の識別情報を通信装置からネットワークを介して受けつける第１入力部と、
通信機能が搭載された撮像装置からネットワークを介して、当該撮像装置の識別情報を受けつける第２入力部と、
前記第２入力部において受けつけた識別情報が、前記第１入力部において受けつけた識別情報に一致した場合に、前記第２入力部において識別情報を受けつけた撮像装置に対して、記憶している画像を送信させた後に、記憶している画像を削除させる指示出力部と、
前記指示出力部が画像を送信させた撮像装置から、画像を受けつける画像入力部と、
前記画像入力部において受けつけた画像を記憶媒体に記憶させる記憶制御部と、
を備えることを特徴とする管理装置。
【請求項２】
通信機能が搭載された撮像装置であって、
撮像部と、
ネットワークを介して管理装置へ、所定のタイミングで本撮像装置の識別情報を出力する情報出力部と、
前記情報出力部が識別情報を出力した管理装置から、前記撮像部において撮像した画像であって、かつ記憶している画像を送信してから削除する旨の指示を受けつける指示入力部と、
前記指示入力部において受けつけた指示に応じて、記憶している画像を前記管理装置へ送信する画像出力部と、
前記画像出力部から画像を送信した後に、記憶している画像を削除する削除部と、
を備えることを特徴とする撮像装置。
【発明の詳細な説明】
【技術分野】
【０００１】
本発明は、撮像技術に関し、特に撮像された画像を管理する撮像装置および管理装置に関する。
【背景技術】
【０００２】
ユーザが携帯電話端末装置などの携帯情報端末装置を紛失したり、盗難された場合、第三者による携帯情報端末装置の使用の防止が望まれる。これに対応するために、例えば、遠隔操作によって操作ロックがなされたり、記憶されているデータの消去がなされる。また、平文データを記憶している場合に、これを暗号化させてから記憶させた後に、平文データを消去することもなされる（例えば、特許文献１参照）。
【先行技術文献】
【特許文献】
【０００３】
【特許文献１】特開２００６−２３７８８１号公報
【発明の概要】
【発明が解決しようとする課題】
【０００４】
デジタルカメラもユーザによって携帯されることが多く、携帯電話端末装置と同様に紛失や盗難の危険性が高い。また、デジタルカメラでは、既に撮像した画像がメモリカード等の記憶媒体に記憶されている。そのため、紛失や盗難によって、記憶した画像を第三者に閲覧されてしまうおそれがある。さらに、ユーザにとっては、失ったデジタルカメラ自体よりも画像の方が重要である場合もある。つまり、デジタルカメラを取り戻せなくても、記憶した画像だけは取り戻したいという要望がある。
【０００５】
本発明はこうした状況に鑑みてなされたものであり、その目的は、撮像装置を失った場合に記憶された画像を取り戻すとともに、当該画像が閲覧されることを抑制する技術を提供することである。
【課題を解決するための手段】
【０００６】
上記課題を解決するために、本発明のある態様の管理装置は、通信機能が搭載された撮像装置であって、かつ監視対象となる撮像装置の識別情報を通信装置からネットワークを介して受けつける第１入力部と、通信機能が搭載された撮像装置からネットワークを介して、当該撮像装置の識別情報を受けつける第２入力部と、第２入力部において受けつけた識別情報が、第１入力部において受けつけた識別情報に一致した場合に、第２入力部において識別情報を受けつけた撮像装置に対して、記憶している画像を送信させた後に、記憶している画像を削除させる指示出力部と、指示出力部が画像を送信させた撮像装置から、画像を受けつける画像入力部と、画像入力部において受けつけた画像を記憶媒体に記憶させる記憶制御部と、を備える。
【０００７】
本発明の別の態様は、撮像装置である。この装置は、通信機能が搭載された撮像装置であって、撮像部と、ネットワークを介して管理装置へ、所定のタイミングで本撮像装置の識別情報を出力する情報出力部と、情報出力部が識別情報を出力した管理装置から、撮像部において撮像した画像であって、かつ記憶している画像を送信してから削除する旨の指示を受けつける指示入力部と、指示入力部において受けつけた指示に応じて、記憶している画像を管理装置へ送信する画像出力部と、画像出力部から画像を送信した後に、記憶している画像を削除する削除部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、撮像装置を失った場合に記憶された画像を取り戻すことができ、当該画像が閲覧されることを抑制できる。
【図面の簡単な説明】
【００１０】
【図１】本発明の実施例に係る管理システムの構成を示す図である。
【図２】図１の管理装置、撮像装置、ユーザ端末装置の構成を示す図である。
【図３】図２のＬＯＳＴ登録管理部において記憶されているテーブルのデータ構造を示す図である。
【図４】図１の管理システムによる紛失時処理の手順を示すシーケンス図である。
【図５】図２のユーザ端末装置による紛失時処理の手順を示すフローチャートである。
【図６】図２の管理装置による紛失時処理の手順を示すフローチャートである。
【図７】図２の撮像装置による紛失時処理の手順を示すフローチャートである。
【発明を実施するための形態】
【００１１】
本発明を具体的に説明する前に、概要を述べる。本発明の実施例は、ユーザ端末装置、管理装置、撮像装置がそれぞれネットワークを介して通信する管理システムに関する。カメラのような撮像装置は、撮像した画像をメモリカードに記憶する。このような撮像装置が紛失や盗難された場合、ユーザは、一般的に、メモリの画像を取り戻したいと思うとともに、メモリの画像を第三者に閲覧されたくないと考える。これに対応するために、本発明の実施例に係る管理システムは、次の処理を実行する。撮像装置を紛失した場合、ユーザは、ユーザ端末装置を操作することによって、撮像装置を紛失した旨（以下、「ＬＯＳＴ情報」という）を管理装置に送信する。なお、ＬＯＳＴ情報には、撮像装置の識別情報（以下、「ＩＤ」という）が含まれる。
【００１２】
管理装置は、ＬＯＳＴ情報を受信することによって、撮像装置を監視の対象として登録（以下、「ＬＯＳＴ登録」という）する。撮像装置は、起動する際に、ネットワークを介して管理装置へＩＤを送信する。管理装置は、ＩＤを受信すると、当該ＩＤをＬＯＳＴ登録しているかを確認する。ＬＯＳＴ登録している場合、管理装置は、撮像装置へ、紛失時動作の実行を指示する。撮像装置は、指示を受けつけると、既に撮像して記憶している画像を管理装置へ送信する。管理装置は、撮像装置からの画像を受信すると、画像を記憶する。また、撮像装置は、画像の送信を終了すると、記憶している画像を削除する。
【００１３】
図１は、本発明の実施例に係る管理システム６０の構成を示す。管理システム６０は、管理装置１０、撮像装置２０、ユーザ端末装置３０、基地局装置４０、ネットワーク５０を含む。撮像装置２０は、デジタルカメラのように、静止画像や動画像（以下、「画像」と総称する）を撮像する装置である。以下では、撮像した画像そのもの、あるいは画像のデジタルデータを区別せずに「画像」という。また、本明細書において、画像は、撮影データとも同様の意味で使用される。さらに、撮像装置２０は、通信機能を搭載する。ここで、通信機能とは、例えば、無線通信を実行するための機能であり、以下では、無線ＬＡＮ（Ｌｏｃａｌ  Ａｒｅａ  Ｎｅｔｗｏｒｋ）を説明の対象にする。
【００１４】
撮像装置２０は、後述の基地局装置４０を介して、ネットワーク５０に接続する。また、このような接続によって、撮像装置２０は、撮像した画像を管理装置１０にアップロードする。また、撮像装置２０は、管理装置１０からの制御指示も受信する。撮像装置２０は、管理装置１０に画像をアップロードする際の設定として、アップロードした画像を管理システム６０全体に公開する「公開」と、特定のユーザ端末装置３０にのみ公開する「限定的」のいずれかを使用する。また、撮像装置２０は、起動時に、管理装置１０へ接続し、自身の機器情報（以下、前述の通り「ＩＤ」という）を通知する。
【００１５】
基地局装置４０は、一端に無線通信にて撮像装置２０を接続し、他端に有線通信にてネットワーク５０を接続する。基地局装置４０は、無線ＬＡＮのＡＰ（Ａｃｃｅｓｓ  Ｐｏｉｎｔ）であるとする。また、基地局装置４０は、撮像装置２０とネットワーク５０との間の通信を中継する。ネットワーク５０は、例えばＩＰ（Ｉｎｔｅｒｎｅｔ  Ｐｒｏｔｏｃｏｌ）に対応する。ネットワーク５０および基地局装置４０の構成として、公知の技術が使用されればよいので、ここでは説明を省略する。
【００１６】
管理装置１０は、ネットワーク５０に接続され、ネットワーク５０を介して撮像装置２０やユーザ端末装置３０と通信する。管理装置１０は、例えば、サーバによって構成される。管理装置１０は、基地局装置４０を介して撮像装置２０からの画像を取得し、ユーザ端末装置３０からの要求に応じて、取得した画像をユーザ端末装置３０へ送信する。また、取得した画像には、「公開」や「限定的」の設定がなされており、「限定的」に設定された画像に関しては、特定のユーザ端末装置３０からの要求にのみ応じて送信される。また、管理装置１０は、撮像装置２０に対して、制御指示を送信する。
【００１７】
管理装置１０は、ユーザ端末装置３０からの依頼に基づいて、ユーザ所有の撮像装置２０を監視の対象として登録するための処理、つまりＬＯＳＴ登録を実行する。ＬＯＳＴ登録では、ユーザが紛失した撮像装置２０のＩＤを保持する。管理装置１０は、撮像装置２０から通知されたＩＤがＬＯＳＴ登録されているかを判定し、ＬＯＳＴ登録されている撮像装置２０からのＩＤを受けつけた場合に、当該撮像装置２０に紛失時動作を実行するさせる。
【００１８】
ユーザ端末装置３０は、ネットワーク５０を介して管理装置１０と通信する。ユーザ端末装置３０は、管理装置１０に蓄積されている画像の送信を管理装置１０に要求する。また、管理装置１０から画像を取得した場合、ユーザ端末装置３０は、これを表示する。なお、画像が「限定的」に設定されている場合、ユーザ端末装置３０は、本ユーザ端末装置３０の識別情報を管理装置１０へ送信する。その結果、管理装置１０では、ユーザ認証がなされる。なお、ユーザ認証には、ユーザＩＤ等が使用されてもよい。また、撮像装置２０を紛失したユーザは、ユーザ端末装置３０を操作することによって、管理装置１０へＬＯＳＴ登録を依頼する。
【００１９】
以下では、紛失時動作の概要を説明する。まず、ユーザが、撮像装置２０を紛失する。なお、以下では、盗難も紛失に含まれるとする。ユーザは、紛失した撮像装置２０のＩＤをユーザ端末装置３０に入力し、ユーザ端末装置３０は、ネットワーク５０を介して、管理装置１０へＬＯＳＴ登録を依頼する。管理装置１０は、取得したＩＤに対してＬＯＳＴ登録を実行する。撮像装置２０は、紛失した場合であるか否かにかかわらず、起動時に管理装置１０へ接続することによって、管理装置１０へＩＤを通知する。
【００２０】
管理装置１０は、通知されたＩＤがＬＯＳＴ登録されているかを確認する。管理装置１０は、ＬＯＳＴ登録がなされているＩＤを通知した撮像装置２０へ、ネットワーク５０を介して紛失時動作を指示する。撮像装置２０は、指示を受けつけると、紛失時動作として、アップロード時の画像を「限定的」に設定する。さらに、撮像装置２０は、ネットワーク５０を介して、記憶している画像を管理装置１０へアップロードする。アップロードの終了後、撮像装置２０は、記憶している画像を削除する。管理装置１０は、撮像装置２０から受けつけた画像を記憶する。
【００２１】
図２は、管理装置１０、撮像装置２０、ユーザ端末装置３０の構成を示す。管理装置１０は、ＬＯＳＴ登録依頼受信部１０２、ＬＯＳＴ登録管理部１０４、機器情報受信部１０６、機器情報判断部１０８、紛失時動作指示部１１０、撮影データ受信部１１２、撮影データ記憶部１１４、撮影データ要求受信部１１６、ユーザ認証部１１８、撮影データ送信部１２０を含む。撮像装置２０は、操作検知部２０２、電源制御部２０４、機器情報送信部２０６、機器情報記憶部２０８、紛失時動作指示受信部２１０、紛失時動作実行部２１２、アップロード設定管理部２１４、撮像部２１６、撮影データ送信部２１８、撮影データ記憶部２２０を含む。ユーザ端末装置３０は、操作検知部３０２、ＬＯＳＴ登録依頼部３０４、撮影データ要求送信部３０６、撮影データ受信部３０８、表示部３１０を含む。
【００２２】
なお、図２では、説明を明瞭にするために、図１から、基地局装置４０、ネットワーク５０を省略する。ＬＯＳＴ登録依頼受信部１０２は、ユーザ端末装置３０からのＬＯＳＴ登録を依頼する旨の通知（以下、「ＬＯＳＴ情報」という）を受信する。また、ＬＯＳＴ情報には、前述のＩＤ、つまり撮像装置２０の識別情報が含まれている。このようなＬＯＳＴ情報は、撮像装置２０に対して、記憶している画像を送信させた後に、記憶している画像を削除させる指示に相当し、ＩＤは、通信機能が搭載され、かつ監視対象となる撮像装置２０の識別情報といえる。ＬＯＳＴ登録依頼受信部１０２は、取得したＩＤをＬＯＳＴ登録管理部１０４に送信することによって、ＬＯＳＴ登録管理部１０４にＬＯＳＴ登録を依頼する。また、ＬＯＳＴ情報では、ＬＯＳＴ登録からのＩＤの削除が指示されている場合もある。その際、ＬＯＳＴ登録依頼受信部１０２は、ＬＯＳＴ情報の送信元が、対応した撮像装置２０の所有者であることを確認した後、ＬＯＳＴ登録管理部１０４に、ＬＯＳＴ登録の削除を依頼する。
【００２３】
ＬＯＳＴ登録管理部１０４は、ＬＯＳＴ登録依頼受信部１０２からの依頼をもとに、ＬＯＳＴ管理テーブルへＩＤを登録する。また、ＬＯＳＴ登録管理部１０４は、ＬＯＳＴ登録依頼受信部１０２からの依頼をもとに、ＬＯＳＴ管理テーブルからＩＤを削除する。このようにＬＯＳＴ登録管理部１０４は、ＬＯＳＴ管理テーブルを管理する。ＬＯＳＴ管理テーブルは、後述の機器情報判断部１０８によって参照される。図３は、ＬＯＳＴ登録管理部１０４において記憶されているテーブルのデータ構造を示す。図示のごとく、ユーザ端末装置欄４００、アドレス欄４０２、撮像装置欄４０４が含まれる。ユーザ端末装置欄４００には、ＬＯＳＴ登録を依頼したユーザ端末装置３０の識別情報が格納される。なお、ユーザ端末装置欄４００には、ユーザＩＤが格納されてもよい。また、アドレス欄４０２には、対応したユーザ端末装置３０のＩＰアドレスが格納される。撮像装置欄４０４には、監視対象となる撮像装置２０のＩＤが格納される。図２に戻る。
【００２４】
機器情報受信部１０６は、撮像装置２０から通知されるＩＤを受信する。これは、当該撮像装置２０の識別情報である。なお、機器情報受信部１０６は、さまざまな撮像装置２０からのＩＤを適宜受信している。機器情報受信部１０６は、機器情報判断部１０８へＩＤを出力する。機器情報判断部１０８は、機器情報受信部１０６からのＩＤを入力する。機器情報判断部１０８は、ＬＯＳＴ登録管理部１０４に管理されたＬＯＳＴ管理テーブルを参照して、ＬＯＳＴ管理テーブルに当該ＩＤが登録されているかを判定する。ＩＤがＬＯＳＴ管理テーブルに登録されている場合、つまり、ＬＯＳＴ登録依頼受信部１０２において受けつけたＩＤと、機器情報受信部１０６において受けつけたＩＤとが一致している場合に、機器情報判断部１０８は、その旨を紛失時動作指示部１１０へ通知する。
【００２５】
紛失時動作指示部１１０は、機器情報判断部１０８から、ＬＯＳＴ管理テーブルに登録されたＩＤを通知される。紛失時動作指示部１１０は、当該ＩＤの送信元である撮像装置２０に対して、紛失時動作を実行するように指示する（以下、当該指示を「紛失時動作指示」という）。つまり、紛失時動作指示部１１０は、機器情報受信部１０６においてＩＤを受けつけた撮像装置２０に対して、記憶している画像を送信させた後に、記憶している画像を削除させることを指示する。
【００２６】
撮影データ受信部１１２は、撮像装置２０からの画像を受信する。受信した画像には、「公開」あるいは「限定的」の指定に関する情報、「限定的」の場合の送信許可条件が含まれている。例えば、送信許可条件として、ユーザ端末装置３０の識別情報が含まれる。また、送信許可条件として、ユーザＩＤが含まれてもよい。なお、紛失時動作を指示した撮像装置２０からの画像を受信する場合、当該画像には、「限定的」の設定がなされている。撮影データ受信部１１２は、画像に付加された情報とともに、画像を撮影データ記憶部１１４に記憶させる。撮影データ記憶部１１４は、撮影データ受信部１１２からの指示をもとに、画像と、当該画像に付加された情報とを記憶する。撮影データ記憶部１１４に記憶された画像は、撮影データ送信部１２０により参照される。
【００２７】
撮影データ要求受信部１１６は、ユーザ端末装置３０から、画像の送信要求を受信する。撮影データ要求受信部１１６は、撮影データ記憶部１１４を参照することによって、要求された画像が「限定的」に設定されていれば、送信許可条件に合致しているかの判断をユーザ認証部１１８に依頼する。ユーザ認証部１１８が送信許可条件に合致していると判断した場合、あるいは要求された撮影データが「公開」に設定されている場合、撮影データ要求受信部１１６は、要求された画像の送信を撮影データ送信部１２０に依頼する。
【００２８】
ユーザ認証部１１８は、撮影データ要求受信部１１６からの依頼に応じて、画像の送信を要求したユーザ端末装置３０が、送信許可条件に合致しているかを判断する。具体的に説明すると、ユーザ認証部１１８は、撮影データ記憶部１１４を参照することによって、対象となる画像に対応した送信許可条件、例えばユーザ端末装置３０の識別情報を抽出する。これはＬＯＳＴ登録を要求したユーザ端末装置３０の識別情報に相当する。なお、送信許可条件として、ユーザＩＤが抽出されてもよい。また、ユーザ認証部１１８は、抽出した識別情報と、送信要求に含まれた識別情報とが一致する場合に、送信許可条件を満たすとして、その結果を撮影データ要求受信部１１６へ出力する。撮影データ送信部１２０は、撮影データ要求受信部１１６からの依頼に応じて、撮影データ記憶部１１４に記憶された画像をユーザ端末装置３０へ送信する。
【００２９】
操作検知部２０２は、ボタン等によって構成されており、操作者による操作を検知する。操作とは、例えば、起動、切断、撮像の指示に相当する。検知した操作が電源に関する操作であった場合、その検知内容を電源制御部２０４へ通知する。電源に関する操作は、起動、切断に相当する。電源制御部２０４は、操作検知部２０２から、電源に関する操作の検知内容を入力し、当該検知内容に応じて、電源を起動させたり、電源を切断させたりする。また、電源制御部２０４は、起動の際に、ＩＤの送信を機器情報送信部２０６へ依頼する。
【００３０】
機器情報送信部２０６は、電源制御部２０４からの依頼をもとに、機器情報記憶部２０８が保持しているＩＤを管理装置１０へ送信する。つまり、機器情報送信部２０６は、管理装置１０へ、起動のタイミングでＩＤを送信する。なお、機器情報送信部２０６は、起動タイミングだけではなく、所定のタイミングでＩＤを送信してもよい。機器情報記憶部２０８は、本撮像装置２０のＩＤを保持する。また、機器情報記憶部２０８は、アップロードの設定が「限定的」である場合の送信許可条件に関する送信許可情報も保持する。ＩＤは機器情報送信部２０６によって参照され、送信許可情報は撮影データ送信部２１８によって参照される。
【００３１】
紛失時動作指示受信部２１０は、管理装置１０からの紛失時動作指示を受信する。紛失時動作指示受信部２１０は、紛失時動作実行部２１２に紛失時動作の実行を依頼する。つまり、紛失時動作指示受信部２１０は、機器情報送信部２０６がＩＤを送信した管理装置１０から、撮像部２１６において撮像した画像であって、かつ撮影データ記憶部２２０に記憶している画像を送信してから削除する旨の指示を受けつける。ここで、前述のごとく、紛失時動作指示は、管理装置１０において、画像の撮像を希望する撮像装置２０のＩＤと、機器情報送信部２０６が送信したＩＤとが、一致した場合に生成されている。
【００３２】
紛失時動作実行部２１２は、紛失時動作指示受信部２１０からの依頼に応じて、紛失時動作を実行する。紛失時動作とは、次のように規定される。アップロードの設定は、強制的に「限定的」とされる。なお、通常の動作においてアップロードの設定として、「公開」あるいは「限定的」が選択される。また、撮影データ記憶部２２０に記憶されている画像が管理装置１０にアップロードされる。アップロード後、撮影データ記憶部２２０に記憶されている画像が削除される。さらに、操作検知部２０２において検知される操作内容、つまり操作者から受けつける操作が無効とされてもよい。紛失時動作実行部２１２は、このような動作の実行をアップロード設定管理部２１４および撮影データ記憶部２２０へ指示する。
【００３３】
アップロード設定管理部２１４は、アップロードの設定として、「公開」あるいは「限定的」を管理する。ここで、アップロードの設定とは、管理装置１０にアップロードした画像をユーザ端末装置３０に送信する際に使用される設定であり、「公開」とすると、画像は、基本的にすべてのユーザ端末装置３０へ送信可能となる。一方、「非公開」とすると、画像は、一部の許可されたユーザ端末装置３０のみへ送信可能となる。この許可されたユーザ端末装置３０の条件を示したものが、送信許可情報である。前述のごとく、通常動作時において、アップロード設定管理部２１４は、「公開」あるいは「限定的」を設定するが、紛失時動作実行部２１２からの依頼を受けつけた場合において「限定的」のみを設定する。「限定的」に設定された場合、画像の最終的な出力先は、画像の撮像の希望元、つまりＬＯＳＴ登録を依頼したユーザ端末装置３０に限定される。ここで、ユーザＩＤが使用される場合、ユーザＩＤでログインしているユーザ端末装置３０に限定されるようにしてもよい。アップロード設定管理部２１４において管理しているアップロードの設定は、撮影データ送信部２１８が画像を送信する際に参照される。
【００３４】
撮像部２１６は、操作検知部２０２からの撮像の操作を受けつけた場合に、画像を撮像する。撮像部２１６は、撮像した画像を撮影データ記憶部２２０に記憶させる。撮影データ記憶部２２０は、撮像部２１６から受けつけた画像を記憶するための記憶媒体である。なお、撮影データ記憶部２２０は、メモリカードのように撮像装置２０から着脱可能に構成されていてもよい。撮影データ記憶部２２０に記憶されている画像は、撮影データ送信部２１８により参照される。また、撮影データ記憶部２２０は、紛失時動作実行部２１２からの依頼をもとに、画像を削除する。
【００３５】
撮影データ送信部２１８は、撮影データ記憶部２２０から画像を入力し、入力した画像を管理装置１０へ送信する。その際、撮影データ送信部２１８は、アップロード設定管理部２１４において管理されているアップロードの設定を確認する。アップロードの設定が「公開」である場合、撮影データ送信部２１８は、アップロードの設定を「公開」として送信する。一方、アップロードの設定が「限定的」である場合、撮影データ送信部２１８は、機器情報記憶部２０８が保持している送信許可情報を画像に付加してから、管理装置１０へ送信する。なお、紛失時動作の場合に、撮影データ送信部２１８は、アップロードの設定を「限定的」に設定し、撮影データ記憶部２２０に記憶された画像を自動的に管理装置１０へ送信する。また、紛失時動作実行部２１２は、紛失時動作の場合に、撮影データ送信部２１８からの画像の送信が終了した後、撮影データ記憶部２２０に記憶している画像を削除させる。
【００３６】
操作検知部３０２は、ユーザからの操作を検知する。例えば、撮像装置２０の所有者が撮像装置２０を紛失した場合に、操作検知部３０２は、ＬＯＳＴ登録に関する操作を検知する。操作検知部３０２は、ＬＯＳＴ登録に関する操作を検知した場合、その内容をＬＯＳＴ登録依頼部３０４へ出力し、画像の送信を要求する操作を検知した場合、その内容を撮影データ要求送信部３０６へ出力する。ＬＯＳＴ登録依頼部３０４は、操作検知部３０２から、ＬＯＳＴ登録に関する操作を受けつけた場合、管理装置１０へＬＯＳＴ登録の依頼を送信する。ＬＯＳＴ登録の依頼には、対象となる撮像装置２０のＩＤおよびユーザＩＤ、パスワード等のユーザ情報が含まれる。なお、ＬＯＳＴ登録の依頼には、ＬＯＳＴ登録からの削除も含まれる。
【００３７】
撮影データ要求送信部３０６は、操作検知部３０２から、画像の送信を要求する操作を受けつけた場合、管理装置１０へ画像の送信を要求する。撮影データ受信部３０８は、撮影データ要求送信部３０６が送信した要求に応じて、管理装置１０から送信された画像を受信する。撮影データ受信部３０８は、画像を表示部３１０へ出力する。表示部３１０は、撮影データ受信部３０８において受信した画像を表示する。
【００３８】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３９】
以上の構成による管理システム６０の動作概要を説明する。図４は、管理システム６０による紛失時処理の手順を示すシーケンス図である。ユーザ端末装置３０は、ＬＯＳＴ情報の入力を受けつける（Ｓ１０）。ユーザ端末装置３０は、管理装置１０へＬＯＳＴ情報を送信する（Ｓ１２）。管理装置１０は、ＬＯＳＴ情報をもとにＬＯＳＴ登録を実行する（Ｓ１４）。撮像装置２０は、拾得者によって起動される（Ｓ１６）。撮像装置２０は、管理装置１０へＩＤを通知する（Ｓ１８）。管理装置１０は、ＩＤがＬＯＳＴ登録されているかを確認する（Ｓ２０）。管理装置１０は、撮像装置２０へ紛失時動作を指示する（Ｓ２２）。撮像装置２０は、記憶している画像をアップロードする（Ｓ２４）。管理装置１０は、撮像装置２０からの画像を記憶する（Ｓ２６）。アップロード後、撮像装置２０は、記憶している画像を削除する（Ｓ２８）。
【００４０】
図５は、ユーザ端末装置３０による紛失時処理の手順を示すフローチャートである。操作検知部３０２が、ＬＯＳＴ情報の入力を受けつけると（Ｓ５０のＹ）、ＬＯＳＴ登録依頼部３０４は、管理装置１０へＬＯＳＴ情報を送信する（Ｓ５２）。一方、操作検知部３０２が、ＬＯＳＴ情報の入力を受けつけなければ（Ｓ５０のＮ）、ステップ５２はスキップされる。操作検知部３０２が、画像の送信要求を受けつければ（Ｓ５４のＹ）、撮影データ要求送信部３０６は、管理装置１０へ送信要求を送信する（Ｓ５６）。一方、操作検知部３０２が、画像の送信要求を受けつけなければ（Ｓ５４のＮ）、ステップ５６はスキップされる。撮影データ受信部３０８が、管理装置１０からの画像を受信すれば（Ｓ５８のＹ）、表示部３１０は、画像を表示する（Ｓ６０）。一方、撮影データ受信部３０８が、管理装置１０からの画像を受信しなければ（Ｓ５８のＮ）、ステップ６０はスキップされる。終了でなければ（Ｓ６２のＮ）、ステップ５０に戻る。終了であれば（Ｓ６２のＹ）、処理は終了される。
【００４１】
図６は、管理装置１０による紛失時処理の手順を示すフローチャートである。ＬＯＳＴ登録依頼受信部１０２がユーザ端末装置３０からのＬＯＳＴ情報を受信すれば（Ｓ８０のＹ）、ＬＯＳＴ登録管理部１０４は、ＬＯＳＴ情報を登録する（Ｓ８２）。なお、ＬＯＳＴ登録依頼の送信元となるユーザ端末装置３０が適切なユーザでない場合、ＬＯＳＴ登録はなされない。一方、ＬＯＳＴ登録依頼受信部１０２がユーザ端末装置３０からのＬＯＳＴ情報を受信しなければ（Ｓ８０のＮ）、ステップ８２はスキップされる。機器情報受信部１０６が撮像装置２０からのＩＤを受信し（Ｓ８４のＹ）、当該ＩＤがＬＯＳＴ登録されていれば（Ｓ８６のＹ）、紛失時動作指示部１１０は、紛失時動作指示を送信する（Ｓ８８）。一方、機器情報受信部１０６が撮像装置２０からのＩＤを受信していない場合（Ｓ８４のＮ）、あるいはＩＤがＬＯＳＴ登録されていない場合（Ｓ８６のＮ）、ステップ８８はスキップされる。撮影データ受信部１１２が撮像装置２０からの画像を受信すれば（Ｓ９０のＹ）、撮影データ記憶部１１４は、画像を格納する（Ｓ９２）。
【００４２】
撮影データ受信部１１２が撮像装置２０からの画像を受信しなければ（Ｓ９０のＮ）、ステップ９２はスキップされる。撮影データ要求受信部１１６は、ユーザ端末装置３０からの送信要求を受信する（Ｓ９４）。ユーザ認証部１１８は、送信要求の送信元が許可された正当なユーザであるかをユーザ認証する（Ｓ９６）。正当なユーザからの要求であった場合（Ｓ９８のＹ）、撮影データ送信部１２０は、ユーザ端末装置３０へ画像を送信する（Ｓ１００）。一方、正当なユーザからの要求でなかった場合（Ｓ９８のＮ）、ステップ１００はスキップされる。終了でなければ（Ｓ１０２のＮ）、ステップ８０に戻る。終了であれば（Ｓ１０２のＹ）、処理は終了される。
【００４３】
図７は、撮像装置２０による紛失時処理の手順を示すフローチャートである。電源制御部２０４が起動を検出すると（Ｓ１２０）、機器情報送信部２０６は、管理装置１０へＩＤを送信する（Ｓ１２２）。紛失時動作指示受信部２１０が管理装置１０からの紛失時動作指示を受信すれば（Ｓ１２４のＹ）、紛失時動作実行部２１２は、動作を紛失時モードに変更する（Ｓ１２６）。アップロード設定管理部２１４は、アップロード設定を「限定的」に変更する（Ｓ１２８）。撮影データ送信部２１８は、撮影データ記憶部２２０に記憶されている画像を管理装置１０へ送信する（Ｓ１３２）。撮影データ記憶部２２０は、記憶している画像を削除する（Ｓ１３４）。紛失時動作指示受信部２１０が管理装置１０からの紛失時動作指示を受信しなければ（Ｓ１２４のＮ）、ステップ１２６から１３４はスキップされる。終了でなければ（Ｓ１３６のＮ）、ステップ１２４に戻る。終了であれば（Ｓ１３６のＹ）、処理は終了される。
【００４４】
本発明の実施例によれば、撮像装置に記憶された画像を送信させるので、撮像装置を失った場合に記憶された画像を取り戻すことができる。また、画像を送信させた後に当該画像を削除させるので、当該画像が閲覧されることを抑制できる。また、撮像装置にＩＤを送信させるので、監視対象となる撮像装置を容易かつ正確に特定できる。また、画像の最終的な出力先を、画像の所有者の希望元や撮像装置２０の本来の所有者の希望元に限定するので、画像の内容を不特定多数の人へ公開することを抑制できる。また、画像の最終的な出力先が限定されていても、画像の撮像の希望元には画像が送信されるので、画像を閲覧させることができる。
【００４５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００４６】
１０  管理装置、  ２０  撮像装置、  ３０  ユーザ端末装置、  ４０  基地局装置、  ５０  ネットワーク、  ６０  管理システム、  １０２  ＬＯＳＴ登録依頼受信部、  １０４  ＬＯＳＴ登録管理部、  １０６  機器情報受信部、  １０８  機器情報判断部、  １１０  紛失時動作指示部、  １１２  撮影データ受信部、  １１４  撮影データ記憶部、  ２０２  操作検知部、  ２０４  電源制御部、  ２０６  機器情報送信部、  ２０８  機器情報記憶部、  ２１０  紛失時動作指示受信部、  ２１２  紛失時動作実行部、  ２１４  アップロード設定管理部、  ２１６  撮像部、  ２１８  撮影データ送信部、  ２２０  撮影データ記憶部、  ３０２  操作検知部、  ３０４  ＬＯＳＴ登録依頼部。
【図１】
2010178230.tif 000003
【図２】
2010178230.tif 000004
【図３】
2010178230.tif 000005
【図４】
2010178230.tif 000006
【図５】
2010178230.tif 000007
【図６】
2010178230.tif 000008
【図７】
2010178230.tif 000009